(57)【要約】【課題】遠隔監視制御システムにおいて、別途タイマユニットを設けることなく、熱線センサ付自動スイッチを用いてスケジュールに対応したタイマ制御を実現する。【解決手段】熱線センサ付自動スイッチ２は、照明器具などの負荷の動作制御をしない動作無効時間を入力する操作入力部１７と、操作入力部１７を用いて調整される値を表示する液晶表示部１８と、動作無効時間を計測する時間計測処理部１０ａと、時間計測処理部１０ａでの計測に基づいて、照度センサ及び熱線センサの少なくとも一方の動作を有効又は無効にするＣＰＵ１０とを備える。この構成により、別途タイマユニットを設けることなく、操作入力部１７で照明負荷の制御動作の無効時間などを入力して、熱線センサ付自動スイッチ２において動作無効時間などのスケジュールに対応したタイマ制御が実現できる。【選択図】図３
2012155921.tif 000002
【特許請求の範囲】
【請求項１】
検知エリア内の照度を検知する照度センサ及び前記検知エリア内の人体から放射される熱線を検知する熱線センサによる各検知結果に基づいて負荷の動作制御をする熱線センサ付自動スイッチを備えた遠隔監視制御システムにおいて、
前記熱線センサ付自動スイッチは、
前記負荷の動作制御をしない動作無効時間を入力する入力部と、
前記入力部を用いて調整される値を表示する表示部と、
前記動作無効時間を計測するタイマ部と、
前記タイマ部での計測に基づいて、前記照度センサ及び前記熱線センサの少なくとも一方の動作を有効又は無効にする制御部と、を備えることを特徴とする遠隔監視制御システム。
【請求項２】
前記熱線センサ付自動システムに接続され、前記熱線センサ付自動スイッチの動作を設定する設定スイッチをさらに備え、
前記設定スイッチは、
前記熱線センサ付自動スイッチが前記負荷の動作制御をしない動作無効時間を入力する入力部と、
前記入力部を用いて調整される値を表示する表示部と、
前記動作無効時間を計測するタイマ部と、
前記タイマ部での計測に基づいて、前記照度センサ及び前記熱線センサの少なくとも一方の動作を有効又は無効にする制御信号を生成する制御部と、
前記制御部で生成された前記制御信号を送信する送信部と、を備えることを特徴とする請求項１記載の遠隔監視制御システム。
【請求項３】
前記送信部は、前記制御信号の送信において、前記設定スイッチ及び前記熱線センサ付自動スイッチ間の通信に用いる設定用アドレスを使用することを特徴とする請求項２記載の遠隔監視制御システム。
【請求項４】
前記入力部は、さらに、前記熱線センサ又は前記照度センサの検知後に前記負荷の動作状態を保持する動作保持時間、前記照度センサの検知入力を有効又は無効とする際に基準となる照度、及びアドレスデータの入力が可能である、ことを特徴とする請求項１乃至請求項４のいずれか一項に記載の遠隔監視制御システム。
【発明の詳細な説明】
【技術分野】
【０００１】
本発明は、遠隔監視制御システムの熱線センサ付自動スイッチに関する。
【背景技術】
【０００２】
従来より、全てのスイッチをネットワーク化して、２線式の信号線を介して、パルス信号で各照明を制御する遠隔監視制御システムが知られている。例えば、図１９に示す遠隔監視制御システムは、熱線センサの検知信号に基づいて監視データを発生する熱線センサ付自動スイッチ９１と、照明器具９２を制御するリレー制御端末器９３と、信号線Ｌｓを介して接続される伝送ユニット９４とを備える。
【０００３】
伝送ユニット９４は、熱線センサ付自動スイッチ９１及び制御端末器９３を特定するためのアドレスデータを含む伝送信号を信号線Ｌｓに時分割多重伝送方式で送出し、熱線センサ付自動スイッチ９１及び制御端末器９３を個別にアクセスする。また、伝送ユニット９４は、熱線センサ付自動スイッチ９１からの監視データを受信して照明器具９２の動作制御を行う。熱線センサ付自動スイッチ９１の熱線センサが人体から放射される熱線を検知すると監視データを発生し、この監視データに応じて照明器具９２を点灯させ、熱線を検知しなくなってから所定の動作保持時間が経過すると照明器具９２を間引き点灯又は消灯させる。
【０００４】
この遠隔監視制御システムは、さらに、スケジュールに対応したタイマによる照明制御が可能なタイマユニット９５、及び熱線センサ付自動スイッチ９１による照明制御を強制的に入／切りするセンサ入切用スイッチ９６を備える。タイマユニット９５は、例えば休日動作、毎年の繰り返しなどの年間スケジュールや日出及び日入りなどに対応して、熱線センサ付自動スイッチ９１の照明制御の有効／無効をスケジュール管理するタイマ機能を備えている。
【０００５】
タイマユニット９５及びセンサ入切用スイッチ９６には、熱線センサ付自動スイッチ９１の負荷制御動作の有効／無効を切り替えるアドレスが設定され、ＯＮにすると熱線センサ付自動スイッチ９１のセンサ機能を有効、ＯＦＦにするとセンサ機能を無効に設定する。なお、熱線センサ付自動スイッチ９１の下面には、図２０に示すように、照明がＯＮする動作保持時間を設定する調整ツマミ９７、照明の動作する照度を変える照度センサ調整ツマミ９８、熱線検知部９９や照度センサ１００などが備えられる。
【０００６】
ところで、動作に関わる設定値を所望の値に正確に設定することができ、且つ、悪戯や不用意な操作で設定値が変更されるのを防止した熱線センサ付自動スイッチが開示されている（例えば、特許文献１参照）。
【先行技術文献】
【特許文献】
【０００７】
【特許文献１】特開２００４−１５０８３４号公報
【発明の概要】
【発明が解決しようとする課題】
【０００８】
しかしながら、上記従来の遠隔監視制御システムにおいて、熱線センサ付自動スイッチ９１などにおけるスケジュールに対応したタイマ制御は、信号線Ｌｓを介して接続されたタイマユニット９５を用いて行う必要がある。このため、遠隔監視制御システムにタイマユニット９５を別途設ける必要があり、このタイマユニット９５の施工や各種設定に手間を要するという問題がある。
【０００９】
本発明は、上記問題を解消するものであり、別途タイマユニットを設けることなく、信号線を介して接続された熱線センサ付自動スイッチなどにおいてスケジュールに対応したタイマ制御が実現できる遠隔監視制御システムを提供することを目的とする。
【課題を解決するための手段】
【００１０】
上記目的を達成するために本発明は、検知エリア内の照度を検知する照度センサ及び前記検知エリア内の人体から放射される熱線を検知する熱線センサによる各検知結果に基づいて負荷の動作制御をする熱線センサ付自動スイッチを備えた遠隔監視制御システムにおいて、前記熱線センサ付自動スイッチは、前記負荷の動作制御をしない動作無効時間を入力する入力部と、前記入力部を用いて調整される値を表示する表示部と、前記動作無効時間を計測するタイマ部と、前記タイマ部での計測に基づいて、前記照度センサ及び前記熱線センサの少なくとも一方の動作を有効又は無効にする制御部と、を備えることを特徴とする。
【００１１】
この遠隔監視制御システムは、前記熱線センサ付自動システムに接続され、前記熱線センサ付自動スイッチの動作を設定する設定スイッチをさらに備え、前記設定スイッチは、前記熱線センサ付自動スイッチが前記負荷の動作制御をしない動作無効時間を入力する入力部と、前記入力部を用いて調整される値を表示する表示部と、前記動作無効時間を計測するタイマ部と、前記タイマ部での計測に基づいて、前記照度センサ及び前記熱線センサの少なくとも一方の動作を有効又は無効にする制御信号を生成する制御部と、前記制御部で生成された前記制御信号を送信する送信部と、を備えることが好ましい。
【００１２】
この遠隔監視制御システムにおいて、前記送信部は、前記制御信号の送信において、前記設定スイッチ及び前記熱線センサ付自動スイッチ間の通信に用いる設定用アドレスを使用することが好ましい。
【００１３】
この遠隔監視制御システムにおいて、前記入力部は、さらに、前記熱線センサ又は前記照度センサの検知後に前記負荷の動作状態を保持する動作保持時間、前記照度センサの検知入力を有効又は無効とする際に基準となる照度、及びアドレスデータの入力が可能であることが好ましい。
【発明の効果】
【００１４】
本発明に係る遠隔監視制御システムによれば、熱線センサ付自動スイッチに備わる操作入力部及び液晶表示部を介して負荷の制御動作を無効にする動作無効時間を入力できる。また、タイマ部及び制御部を用いてこの動作無効時間において熱線センサ付自動スイッチの負荷制御動作を無効にすることができる。これにより、別途タイマユニットを設けることなく、熱線センサ付自動スイッチにおいてスケジュールに対応したタイマ制御が実現できる。
【図面の簡単な説明】
【００１５】
【図１】本発明の実施の形態１に係る遠隔監視制御システムのシステム構成図である。
【図２】実施の形態１に係る熱線センサ付自動スイッチのプレートを外した状態の下面図である。
【図３】同上熱線センサ付自動スイッチの機能ブロック図である。
【図４】（ａ）〜（ｆ）液晶表示部の表示画面の説明図である。
【図５】本発明の実施の形態２に係る遠隔監視制御システムのシステム構成図である。
【図６】（ａ）実施の形態２に係る設定スイッチの正面図、（ｂ）同上設定スイッチの背面図である。
【図７】同上設定スイッチの機能ブロック図である。
【図８】実施の形態２に係る熱線センサ付自動スイッチのプレートを外した状態の下面図である。
【図９】同上熱線センサ付自動スイッチの機能ブロック図である。
【図１０】（ａ）〜（ｆ）液晶表示部の表示画面の説明図である。
【図１１】（ａ）〜（ｅ）液晶表示部の表示画面の説明図である。
【図１２】（ａ）〜（ｆ）液晶表示部の表示画面の説明図である。
【図１３】（ａ）〜（ｆ）液晶表示部の表示画面の説明図である。
【図１４】本発明の実施の形態３に係る遠隔監視制御システムのシステム構成図である。
【図１５】（ａ）実施の形態３に係る設定スイッチの正面図、（ｂ）同上設定スイッチの背面図である。
【図１６】実施の形態３に係る熱線センサ付自動スイッチのプレートを外した状態の下面図である。
【図１７】同上熱線センサ付自動スイッチの機能ブロック図である。
【図１８】（ａ）〜（ｆ）液晶表示部の表示画面の説明図である。
【図１９】従来の遠隔監視制御システムのシステム構成図である。
【図２０】従来の熱線センサ付自動スイッチのプレートを外した状態の下面図である。
【発明を実施するための形態】
【００１６】
本発明の実施の形態に係る遠隔監視制御システムについて図面を参照して説明する。
【００１７】
（実施の形態１）
本実施の形態１に係る遠隔監視制御システムは、図１に示すように、個別のアドレスデータが付与された端末器である伝送ユニット１、熱線センサ付自動スイッチ２、センサ入切用スイッチ３、及びリレー制御端末器４を備える。これら各部は２線式の信号線Ｌｓを介して接続される。なお、図１では図示を省略しているが信号線Ｌｓには複数台のリレー制御端末器４が接続されており、熱線センサ付自動スイッチ２は複数台の照明器具５のオン／オフを制御することができる。
【００１８】
伝送ユニット１は、アドレスデータを含む伝送信号を信号線Ｌｓに時分割多重伝送方式で送出することによって各端末器を個別にアクセスする。伝送ユニット１は、伝送信号に同期して設定した信号返信期間に何れかの端末器からの監視データを受信すると、監視データに基づいて制御信号を作成する。そして、監視データを発生した端末器とアドレスの対応関係が設定された端末器に対して制御データを伝送信号により伝送する。当該端末器では受信した制御データにより照明器具５の動作を制御する。
【００１９】
熱線センサ付自動スイッチ２は、天井面などに設置され、検知エリア内の照度を検知する照度センサ、及び検知エリア内の人体から放射される熱線を検知する熱線センサを備える。この熱線センサは、人の動き、温度変化を検知し、照明器具５の自動でのＯＮ／ＯＦＦ制御や自動調光を実現するために備えられる。
【００２０】
照度センサは、検知エリアの明るさを検知（検知照度１００〜２０００ルクス等）し、熱線センサ付自動スイッチ２は、検知された照度に基づいて照明器具５を制御するために制御信号を信号線Ｌｓを介して伝送ユニット１に送信する。照度センサを用いた照明制御により、外光が入る時には間引き点灯、日没後は点灯するなど外光にあわせて平均照度を一定に保って調光でき、照明環境の快適性を保ちながら省エネを図ることが可能となる。また、熱線センサ付自動スイッチ２が熱線センサに加えて照度センサをも備えることで、暗くなり且つ人がいる時だけの点灯制御などが可能となる。
【００２１】
熱線センサ付自動スイッチ２は、照明制御を行う時間帯をスケジュール管理するためのタイマ機能を備え、タイマ制御により動作の有効／無効の切り替えを自動で行う。このため、例えば、検知エリアを頻繁に人が通る時間帯は熱線センサによる制御動作を停止して照明器具５を強制的に点灯させるようにすれば、照明器具５がオン／オフする回数を減らして、リレーや照明器具５の寿命を伸ばすことができる。
【００２２】
このように、熱線センサ付自動スイッチ２は、スケジュールに対応したタイマ機能、人の動きの温度変化を検知して照明制御する機能、及び屋外からの自然光の明るさを検知して照明制御する機能を備え、より省エネを実現できる。
【００２３】
熱線センサ付自動スイッチ２には、異なる検知エリア内の人体から放射される熱線を検出する熱線センサを具備した熱線センサ子器２’が接続されており、この熱線センサ子器２’の使用により検知範囲を拡大できる。熱線センサ付自動スイッチ２は、内蔵する照度センサ、熱線センサ及び熱線センサ子器２’の出力を監視し、それらの内の何れか検知すると、割込信号を発生して伝送ユニット１に監視データを送出する。
【００２４】
センサ入切用スイッチ３は、壁面に埋め込まれた壁面スイッチであり、熱線センサ付自動スイッチ２による照明器具５の制御動作を強制的に入／切りするためのスイッチＳＷ１を備え、スイッチＳＷ１の押操作に応じて監視データを伝送ユニット１に伝送する。また、熱線センサ付自動スイッチ２による制御動作の入状態及び切状態をそれぞれ表示する発光ダイオードのような表示灯をも備える。
【００２５】
リレー制御端末器４は、リレーの制御状態に応じて照明器具５の状態を制御する負荷制御端末器としての機能を担っている。リレー制御端末器４は、伝送ユニット１からの伝送信号に基づいて、自己に接続するリモコンリレーのうち、制御対象となる照明器具５に対応するリモコンリレーに対して制御信号を送ることにより、リモコンリレーの状態を制御する。リモコンリレーの個々のリレーは、リレー制御端末器４に制御されて、ブレーカ電源（ＡＣ１００又は２００Ｖ）などからの商用交流をオン／オフすることで、照明器具５をオン状態またはオフ状態にする。なお、２つ以上のアドレスを用いて、照明器具５と換気扇のような２つ以上の負荷の制御に対応することも可能である。
【００２６】
次に、熱線センサ付自動スイッチ２の熱線センサが人体から放射される熱線を検知して検知信号を発生したり、センサ入切用スイッチ３のスイッチＳＷ１が操作されて操作信号が発生した場合の動作に関して説明する。
【００２７】
この場合、最初に、熱線センサ付自動スイッチ２又はセンサ入切用スイッチ３は割込信号を発生し、熱線センサの検知信号又はスイッチＳＷ１の操作信号に対応した監視データを伝送ユニット１に返送する。そして、伝送ユニット１は、受け取った監視データをもとに制御データを作成し、作成した制御データを対応する端末器に伝送すると、制御データを受信した端末器が所定の動作を行う。
【００２８】
そして、例えば熱線センサ付自動スイッチ２から熱線センサの検知入力に応じた監視データが返送されると、伝送ユニット１はこの監視データに基づいて作成した制御データをリレー制御端末器４に送信する。リレー制御端末器４は制御データを受信すると、リレーを制御して照明器具５を点灯／ 消灯させる。
【００２９】
また、センサ入切用スイッチ３からスイッチＳＷ１のオン／ オフ操作に応じた監視データが返送されると、伝送ユニット１はこの監視データに基づいて作成した制御データを熱線センサ付自動スイッチ２に送信する。熱線センサ付自動スイッチ２は制御データを受信すると、熱線センサの検知入力に基づいた負荷の制御動作をオン／オフする。また、熱線センサ付自動スイッチ２は、制御動作のオン／オフを示す監視データを伝送ユニット１に返信し、伝送ユニット１はこの監視データに基づいてセンサ入切用スイッチ３に付設している動作モニタ用の表示灯を点灯／ 消灯させる制御データを伝送する。
【００３０】
次に、図２を参照して熱線センサ付自動スイッチ２のスイッチ構成に関して説明する。
熱線センサ付自動スイッチ２は、天井に設けた取り付け孔に埋め込んだ状態で取り付けられ、前面にはプレートが被着される。プレートが外された状態での熱線センサ付自動スイッチ２の下面には、図２に示すように、液晶表示部２１、操作ボタン２１ａ〜２１ｃ、動作保持時間調整ツマミ２２、照度センサ調整ツマミ２３、受信表示ランプ２４、アドレス設定送受信部２５、検知ＬＥＤ２６、熱線検知部２７、及び照度センサ２８が備えられる。
【００３１】
液晶表示部２１は、熱線センサ付自動スイッチ２の動作有効／無効切り替え設定のための値を表示する。なお、液晶表示に限定されるものではなく、ＬＥＤや有機ＥＬ表示など表示機能を備えていればよい。
【００３２】
操作ボタンである切替ボタン２１ａは、熱線センサ付自動スイッチ２における負荷の制御時間（例えば動作無効開始時間や無効終了時間）を設定する際のモードを変更するためのボタンである。時設定ボタン２１ｂは、動作無効時間の「時」を決定するためのボタンであり、例えば１回押すごとに数字が大きくなる。分設定ボタン２１ｃは、熱線センサ付自動スイッチ２の動作無効時間の「分」を決定するためのボタンであり、例えば１回押すごとに数字が大きくなる。そして、各操作ボタン２１ａ〜２１ｃの近傍の部位に各ボタンの機能を示す文字（「切替」、「時」、「分」）が表示されている。
【００３３】
動作保持時間調整ツマミ２２は、熱線センサで人の存在を検出した場合に、照明器具５がＯＮする時間を変更するための切替スイッチであり、３０秒、３分、１０分などから時間を選択する。照度センサ調整ツマミ２３は、照度センサで検出する照明器具５の動作する照度を変更するための切替スイッチである。熱線センサ付自動スイッチ２は、照度センサ調整ツマミ２３により設定された明るさより暗くなれば照明器具５を点灯する制御を開始する。
【００３４】
受信表示ランプ２４は、アドレス設定器からの光信号を受信すると点滅（５回等）し、アドレス設定送受信部２５は、アドレス設定器からのデータを送受信する。検知ＬＥＤ２６は、熱線センサにおいて人を検知すると青点滅し、熱線検知部２７は、熱線の変化を検知する焦電素子のような熱線センサであり、照度センサ２８は、周囲の明るさを検出するＣｄＳ、フォトダイオード、フォトトランジスタのようなセンサ部となる。
【００３５】
次に、図３を参照して熱線センサ付自動スイッチ２の機能構成に関して説明する。
熱線センサ付自動スイッチ２は、ＣＰＵ１０、熱線センサ検出部１１、子器信号送受信部１２、明るさ検出部１３、多重伝送信号送受信部１４、電源部１５、液晶表示部１６、操作入力部１７、液晶表示部１８、不揮発性メモリ１９、及びアドレス設定信号送受信部２０を備える。
【００３６】
熱線センサ検出部１１は、熱線センサを具備し、熱線センサの出力を増幅してＣＰＵ１０に出力する。ＣＰＵ１０は、熱線センサ検出部１１の出力と、不揮発性メモリ１９に記憶された所定の閾値との高低を比較することによって、検知エリア内の人の存否を判定している。
【００３７】
子器信号送受信部１２には一対の端子Ｔ２を介して熱線センサ子器２’が接続されており、信号線Ｌｓを介して入力される伝送信号を全波整流し、さらに定電圧化することで、熱線センサ子器２’の動作電源を生成して、熱線センサ子器２’に給電する。また、端子Ｔ２，Ｔ２間の電圧を監視することで、熱線センサ子器２’の出力を監視している。すなわち、熱線センサ子器２’は、熱線センサを具備し、熱線センサが人体からの熱線を検出すると、端子Ｔ２，Ｔ２間の電圧レベルを非検出時に比べて低下させることで、熱線を検出した旨を子器信号送受信部１２に報知する。そして、子器信号送受信部１２は、端子Ｔ２，Ｔ２間の電圧から熱線センサ子器２’が熱線を検知したと判断すると、熱線センサ検出部１１を介してＣＰＵ１０に検知信号を出力する。
【００３８】
明るさ検出部１３は、照度センサを具備し、照度センサの出力を増幅してＣＰＵ１０に出力しており、ＣＰＵ１０では、明るさ検出部１３の出力と、不揮発性メモリ１９に記憶された所定の明るさレベル（設定レベル）との明暗を比較する。
【００３９】
伝送通信部たる多重伝送信号送受信部１４は、一対の端子Ｔ１，Ｔ１に接続された信号線Ｌｓを介して、伝送ユニット１との間で多重伝送方式により伝送信号の送受信を行う。また、多重伝送信号送受信部１４は、信号線Ｌｓを介して入力された伝送信号を信号変換してＣＰＵ１０に出力し、ＣＰＵ１０から出力された信号を伝送信号に変換して信号線Ｌｓに送出する。
【００４０】
電源部１５は、信号線Ｌｓを介して入力される伝送信号を全波整流器で全波整流し、さらに定電圧部で定電圧化することによって、内部部の電源を得ている。液晶表示部１６は、操作入力部１７を用いて入力されるタイマ機能以外の設定項目やその値を表示する。
【００４１】
操作入力部１７は、熱線センサ付自動スイッチ２のタイマ機能の動作に関わる各種の設定項目（例えば、熱線センサ付自動スイッチ２の動作無効時間、アドレスデータなど）の値を入力したり、設定値の確認を行うためのものである。液晶表示部１８は、熱線センサ付自動スイッチ２のタイマ機能の動作無効時間などの設定時に、操作入力部１７を用いて入力される設定項目やその値を表示する。
【００４２】
不揮発性メモリ１９は、例えばＥＥＰＲＯＭからなり、操作入力部１７によって入力された設定項目（例えばタイマ機能に関連した動作無効時間やアドレスデータ）の値を記憶する。アドレス設定信号送受信部２０は、多重伝送信号送受信部１４を介して伝送信号に含まれるアドレスデータを受信する。またＣＰＵ１０では、多重伝送信号送受信部１４を介して受信した伝送信号に含まれるアドレスデータが不揮発性メモリ１９に格納されたアドレスデータに一致すると、伝送信号の制御データを受け取り、制御データに応じた動作をする。また、アドレス設定信号送受信部２０は、伝送信号を受信したことを多重伝送信号送受信部１４を通して端子Ｔ１，Ｔ１から信号線Ｌｓに送出する。
【００４３】
時計計測処理部１０ａは、ＣＰＵ１０に備わり、クロックを数えることで一定時間の経過を知るタイマ機能を有し、操作入力部１７で入力された熱線センサ付自動スイッチ２の動作無効時間の検出時にＣＵＰ１０に対して割り込みを発生させる。
【００４４】
図４（ａ）〜（ｆ）は、熱線センサ付自動スイッチ２に備わる液晶表示部２１の表示例を示し、画面の上側には設定項目の内容が、画面の下側にはその値がそれぞれ表示され、操作ボタン２１ａ〜２１ｃを押操作することで表示項目が所定の順番で切り替わる。
【００４５】
ここで、熱線センサ付自動スイッチ２の動作無効開始時間「１０：１０」及び無効終了時間「１３：００」を設定する手順を図４に基づいて説明する。通常時は、液晶表示部２１の電源供給が停止され、例えば何れかの操作ボタン２１ａ〜２１ｃが押操作されることで液晶表示部２１への電源供給が開始され、図４（ａ）に示す初期画面が表示される。次に、切替ボタン２１ａを押して図４（ｂ）に示す無効開始時間の設定モードにする。
【００４６】
そして、時設定ボタン２１ｂを用いて図４（ｃ）に示すように熱線センサ付自動スイッチ２の動作の無効開始時間の「時」を設定する。また、図４（ｄ）に示すように、分設定ボタン２１ｃを用いて、熱線センサ付自動スイッチ２の動作の無効開始時間の「分」を設定する。次に、切替ボタン２１ａを押操作し、図４（ｅ）に示す無効終了時間の設定モードにして、時設定ボタン２１ｂ及び分設定ボタン２１ｃを用いて、上述の無効開始時間と同様に無効終了時間を「１３：００」に設定する。最後に、図４（ｆ）に示すように切替ボタン２１aを押して通常モードに切り替える。
【００４７】
このように、本遠隔監視制御システムにおいては、熱線センサ付自動スイッチ２の負荷制御動作の有効／無効時間を、タイマ制御する場合においても別途タイマユニットを設けることなく設定できる。
【００４８】
次に、図１を参照して熱線センサ付自動スイッチ２に設定されるアドレスと制御動作との関係を説明する。センサ入切用スイッチ３のスイッチＳＷ１を用いて熱線センサ付自動スイッチ２の制御動作をオフ／オフさせる制御を行う場合について説明する。この場合、センサ入切用スイッチ３は割込信号を送出し、伝送処理を経た後に熱線センサ付自動スイッチ２に設定された動作有効／無効切替用アドレス（例えば６３−４等の任意の未使用アドレスを設定）を返送信号として伝送ユニット１に返送する。この時、伝送ユニット１はセンサ入切用スイッチ３から受信した返送信号に基づいて熱線センサ付自動スイッチ２に制御動作をオン／オフさせる制御データを送出し、この制御データを受信した熱線センサ付自動スイッチ２が制御動作をオフ／オフさせる。従って、センサ入切用スイッチ３には、動作有効／無効切替用アドレスが設定され、熱線センサ付自動スイッチ２の制御動作を手動で無効にできる。
【００４９】
また、制御動作がオン状態に設定されている場合、熱線センサ付自動スイッチ２は、熱線センサ検出部１１、子器信号送受信部１２の出力や明るさ検出部１３の出力に基づいて負荷（照明器具５）を制御する。具体的には、ＣＰＵ１０は、照度センサの検出した明るさが所定の明るさレベルよりも明るい状態では、熱線センサ検出部１１からの入力が閾値を超えるか、又は、子器信号送受信部１２から検知入力があっても制御動作は行わない。
【００５０】
そして、ＣＰＵ１０は、照度センサの検出した明るさが所定の明るさレベルよりも暗い状態で、熱線センサ検出部１１からの入力が閾値を超えるか、又は、子器信号送受信部１２から熱線センサ検出部１１を介して検知入力があるか判定する。ＣＰＵ１０は、上記条件を満たす場合、多重伝送信号送受信部１４から割込信号を送出させ、ＯＮアドレスのデータ（例えば、全ての照明器具５を点灯させるパターンＰ５）を返送信号として伝送ユニット１に返送させる。この時、伝送ユニット１は熱線センサ付自動スイッチ２から受信した返送信号に基づいて対応するリレー制御端末器４に制御データを送出し、パターンＰ５で照明器具５を全点灯させる。
【００５１】
その後、検知入力が無くなってから動作保持時間が経過すると、ＣＰＵ１０は、多重伝送信号送受信部１４から割込信号を送出させ、ＯＦＦアドレスのデータ（例えば、全ての照明器具５を消灯させるパターンＰ６）を返送信号として伝送ユニット１に返送させる。この時、伝送ユニット１は熱線センサ付自動スイッチ２から受信した返送信号に基づいて対応するリレー制御端末器４に制御データを送出し、パターンＰ６で照明器具５を全消灯させることができる。
【００５２】
以上のように、熱線センサ付自動スイッチ２は、動作無効時間を入力する操作入力部１７、調整される値を表示する液晶表示部１８、時間計測処理部１０ａ、及び時間計測処理部１０ａの計測に基づいて動作を有効又は無効にする制御部であるＣＰＵ１０を備える。このため、遠隔監視制御システムに別途タイマユニットを接続することなく、操作入力部１７を介して動作無効時間などを入力して、熱線センサ付自動スイッチ２の動作有効／無効のタイマ制御が可能となる。従って、タイマユニットを設ける必要がなく、このタイマユニットの設定や施工作業をなくすことができる。
【００５３】
（実施の形態２）
以下、本発明に係る遠隔監視制御システムの第２の実施の形態に関して説明する。なお、上記実施の形態１に係る遠隔監視制御システムと同様の構成に関しては同様の符号を付し、その詳細な説明は省略する（以下同様とする）。
【００５４】
本遠隔監視制御システムには、図５に示すように、熱線センサ付自動スイッチ２の負荷の制御動作を有効／無効にする時間などの各種の動作設定を行うための設定スイッチ６が信号線Ｌｓを介して接続される。設定スイッチ６は、例えば操作しやすい壁面に設置される。
【００５５】
設定スイッチ６は、図６（ａ）に示すように、液晶表示部６１、ＥＮＴ（実行）ボタン６２、ＥＳＣ（戻る）ボタン６３、値／機能切替（＋側）ボタン６４、及び値／機能切替（−側）ボタン６５を扉６６を開けた前面に備える。なお、図６（ｂ）に示すように、設定スイッチ６の背面には２線式の信号線Ｌｓに接続される遠隔監視制御信号端子６７が備えられる。
【００５６】
液晶表示部６１は、熱線センサ付自動スイッチ２の照明制御の無効開始時間及び無効終了時間の設定時などに、操作ボタン６２〜６５を用いて入力される設定項目やその値を表示する。実行ボタン６２は、設定項目の選択時には設定項目の切り替えボタンとして機能し、ＥＳＣ（戻る）ボタン６３は、キャンセル操作を行うためのボタンである。設定項目の値を入力する際には値／機能切替（＋側）ボタン６４が設定項目の値を増加させるボタン、値／機能切替（−側）ボタン６５が設定項目の値を減少させるボタンとして機能する。そして、設定スイッチ６の前面には各操作ボタン６２〜６５の近傍の部位に各ボタンの機能を示す文字（「ＥＮＴ」、「ＥＳＣ」）やシンボル（「▲」、「▼」）が表示されている。
【００５７】
なお、これらの操作ボタン６２〜６５を用いて設定される設定項目は、熱線センサ付自動スイッチ２の負荷の制御動作の無効開始時間及び無効終了時間のみではない。すなわち、熱線センサなどの検知後に照明器具５の動作状態を保持する動作保持時間、照度センサの検知入力を有効又は無効にする際の基準となる照度や、設定用アドレスなども含まれる。また、熱線センサの検知時に制御するアドレス（ＯＮアドレス）、検知が無くなってから所定の動作保持時間が経過した後に制御するアドレス（ＯＦＦアドレス）、負荷の制御動作を入／切りする際に指定する動作有効／無効切替用アドレスも含まれる。さらに、設定スイッチ６及び熱線センサ付自動スイッチ２間の通信に用いる設定用アドレスなども設定可能とする。
【００５８】
次に、図７を参照して設定スイッチ６の機能構成に関して説明する。
設定スイッチ６は、ＣＰＵ１０、時間計測処理部１０ａ、熱線センサ検出部１１、多重伝送信号送受信部１４、電源部１５、操作ボタン６２〜６５の押操作に応じて設定項目の値を増減させる入力部６２ａ〜６５ａ、及び液晶表示部６１を備える。設定スイッチ６は、入力された動作無効時間を時計計測処理部１０ａを用いて計測する。多重伝送信号送受信部１４は、設定入力された動作有効／無効切替用アドレスに対応させて伝送ユニット１を介して熱線センサ付自動スイッチ２に制御信号を送信することでこの熱線センサ付自動スイッチ２のタイマ制御を実現する。
【００５９】
次に、図８及び図９を参照して本実施の形態２に係る熱線センサ付自動スイッチ２に関して説明する。熱線センサ付自動スイッチ２の下面には、受信表示ランプ２４、アドレス設定送受信部２５、液晶表示部２ａ、ＥＮＴ（実行）ボタン２ｂ、ＥＳＣ（戻る）ボタン２ｃ、値／機能切替（＋側）ボタン２ｄ、及び値／機能切替（−側）ボタン２ｅが備えられる。液晶表示部２ａは、各操作ボタン２ｂ〜２ｅを用いて入力される設定項目やその値を表示し、操作ボタン２ｂ〜２ｅは、上述した操作ボタン６２〜６５と同様の機能を有する。
【００６０】
熱線センサ付自動スイッチ２は、ＣＰＵ１０、熱線センサ検出部１１、子器信号送受信部１２、明るさ検出部１３、多重伝送信号送受信部１４、電源部１５、不揮発性メモリ１９、アドレス設定信号送受信部２０、操作入力部３１、及び液晶表示部３２を備える。この熱線センサ付自動スイッチ２は、操作入力部３１たる操作ボタン２ｂ〜２ｅの押操作に応じて所望の設定項目の値を増減させ、液晶表示部３２は操作ボタン２ｂ〜２ｅにより入力される設定項目やその入力値を表示する。
【００６１】
なお、本遠隔監視制御システム上で、熱線センサ付自動スイッチ２と設定スイッチ６の関連付けは、熱線センサ付自動スイッチ２に設定用アドレス（例えば１０−４）を設定し、同じ設定用アドレスを設定スイッチ６に設定する。この設定用アドレスは、例えば設定スイッチ６及び熱線センサ付自動スイッチ２間の通信に用いるアドレスである。
【００６２】
この設定用アドレスの設定内容は、設定スイッチ６（又は熱線センサ付自動スイッチ２）の実行ボタン６２を押下時に設定用アドレスのデータとして、伝送ユニット１を介して熱線センサ付自動スイッチ２（又は設定スイッチ６）にデータ送信される。このため、設定スイッチ６及び熱線センサ付自動スイッチ２の両ユニットに設定用アドレスの設定値が記憶される。
【００６３】
図１０（ａ）〜（ｆ）は、熱線センサ付自動スイッチ２又は設定スイッチ６に備わる液晶表示部２ａ又は６１の表示例を示している。この場合、熱線センサ付自動スイッチ２の操作ボタン２ｂ〜２ｅ、又は設定スイッチ６の操作ボタン６２〜６５を押操作することで表示項目が所定の順番で切り替わる。なお、以下の図１０の説明は設定スイッチ６での液晶表示例とするが、熱線センサ付自動スイッチ２の液晶画面表示も同様となる。
【００６４】
最初に、動作保持時間「１０分１０秒」に設定する手順を説明する。通常時は、液晶表示部６１の電源供給が停止されており、実行ボタン６２を押操作することで液晶表示部６１への電源供給が開始されて、図１０（ａ）に示すような初期画面が表示される。そして、実行ボタン６２を繰り返して押操作して「動作保持時間」の項目の設定画面を選択する。
【００６５】
次に、図１０（ｂ）及び（ｃ）に示すように、値／機能切替（＋側）ボタン６４、値／機能切替（−側）ボタン６５を用いて熱線センサ付自動スイッチ２の動作保持時間の「分」を設定する。また、実行ボタン６２を押して次の入力項目の設定を開始する。この時、図１０（ｄ）及び（ｅ）に示すように、値／機能切替（＋側）ボタン６４又は値／機能切替（−側）ボタン６５を１回押すとsec(秒)、もう一回押すとmin(分)の項目に切り替わる。最後に、図１０（ｆ）に示すように、実行ボタン６２を押すと項目にカーソルが移動し、他の項目の設定画面に移ることができる。なお、ＥＳＣボタン６３を押すと設定内容は変更されずに項目にカーソルが移動する。
【００６６】
図１１を参照して、設定スイッチ６で照度センサで検出する照明負荷の動作する照度を変更する場合の手順を説明する。最初に、図１１（ａ）及び（ｂ）に示すように、最初に値／機能切替（＋側）ボタン６４を押して、動作保持時間から明るさセンサ設定の項目に切り替え、実行ボタン６２を押して明るさセンサの照度設定を開始する。次に、図１１（ｃ）及び（ｄ）に示すように、値／機能切替（＋側）ボタン６４及び値／機能切替（−側）ボタン６５を用いて値を設定する。そして、図１１（ｅ）に示すように、実行ボタン６２を押すと、項目欄にカーソルが移動し、他の項目の設定画面に移ることができる。
【００６７】
図１２を参照して、熱線センサ付自動スイッチ２での設定用アドレスを変更する場合の手順を説明する。最初に、図１２（ａ）及び（ｂ）に示すように、値／機能切替（−側）ボタン２ｅを押して、設定用アドレスの設定の項目に切り替え、実行ボタン２ｂを押して、設定用アドレスの設定を開始する。この場合、図１２（ｃ）及び（ｄ）に示すように、値／機能切替（＋側）ボタン２ｄを一回押すと数字が大きくなり、値／機能切替（−側）ボタン２ｅを押すと数字が小さくなる。次に、図１２（ｅ）に示すように、実行ボタン２ｂで次の入力項目の設定を開始する。この場合も、値／機能切替（＋側）ボタン２ｄを一回押すと数字が大きくなり、値／機能切替（−側）ボタン２ｅを押すと数字が小さくなる。そして、図１２（ｆ）に示すように、実行ボタン２ｂを押すと項目にカーソルが移動し、他の項目の設定画面に移ることができる。
【００６８】
図１３を参照して、設定スイッチ６で、熱線センサ付自動スイッチ２の負荷の制御動作の無効開始時間「１０：１０」及び無効終了時間「１３：００」を設定する場合の手順を説明する。
【００６９】
最初に、図１３（ａ）及び（ｂ）に示すように、値／機能切替（−側）ボタン６５を押して無効開始時間設定の項目に切り替え、実行ボタン６２を押して、無効開始時間の設定を開始する。この場合、図１３（ｃ）及び（ｄ）に示すように、値／機能切替（＋側）ボタン６４を一回押すと数字が大きくなり、値／機能切替（−側）ボタン６５を押すと数字が小さくなる。次に、図１３（ｅ）に示すように、実行ボタン６２で次の入力項目の設定を開始する。この場合も、値／機能切替（＋側）ボタン６４を一回押すと数字が大きくなり、値／機能切替（−側）ボタン６５を押すと数字が小さくなる。そして、図１３（ｆ）に示すように、実行ボタン６２を押すと無効終了時間設定の項目に切り替わる。次に、無効終了時間を上記の無効開始時間と同様に設定し、実行ボタン６２を押すと項目にカーソルが移動し、他の項目の設定画面に移ることができるようになる。
【００７０】
以上の説明のように、本実施の形態２に係る遠隔監視制御システムでは、熱線センサ付自動スイッチ２と分離し、この熱線センサ付自動スイッチ２の設定用アドレス、動作保持時間、動作無効時間、照度などを設定入力できる設定スイッチ６を壁面に設ける。設定スイッチ６は、入力部６２ａ〜６５ａ、調整される値を表示する液晶表示部６１、時間計測処理部１０ａ、及び時間計測処理部１０ａの計測に基づいてスイッチ２の動作を有効又は無効にする制御信号を生成するＣＰＵ１０を備える。すなわち、設定スイッチ６は、熱線センサ付自動スイッチ２と同様の設定入力機能を備える。
【００７１】
このため、本遠隔監視制御システムでは、不特定の休暇、長期休暇などの場合においても、壁面に設置された設定スイッチ６を用いることで、熱線センサ付自動スイッチ２の負荷の動作制御の有効／無効のスケジュール切替などを容易に変更できる。
【００７２】
（実施の形態３）
以下、本発明に係る制御システムの第３の実施の形態に関して説明する。図１４に示すように、本実施の形態３に係る遠隔制御監視システムは、熱線センサ付自動スイッチ２による照明器具５の制御動作を強制的に入／切りするセンサ入切用スイッチを有しない。
【００７３】
そして、本遠隔監視制御システム上で、熱線センサ付自動スイッチ２と設定スイッチ６の関連付けは、熱線センサ付自動スイッチ２に設定用アドレス（例えば１０−４）を設定し、同じ設定用アドレスを設定スイッチ６に設定する。この設定用アドレスの設定内容（明るさセンサ）は、設定スイッチ６の実行ボタン６２を押下時に設定用アドレスのデータとして、伝送ユニット１を介して熱線センサ付自動スイッチ２にデータ送信される。このため、設定スイッチ６及び熱線センサ付自動スイッチ２の両ユニットに設定用アドレスの設定値が記憶される。また、熱線センサ付自動スイッチ２での検知情報は、熱線センサ付自動スイッチ２から伝送ユニット１を介して設定スイッチ６にデータ送信される。
【００７４】
設定スイッチ６は、図１５（ａ）に示すように、液晶表示部６１、実行ボタン６２、ＥＳＣ（戻る）ボタン６３、値／機能切替（＋側）ボタン６４、及び値／機能切替（−側）ボタン６５を扉６６を開けた前面に備える。このＥＳＣ（戻る）ボタン６３は、長押しで熱線センサ付自動スイッチ２の負荷の制御動作の有効／無効切替ボタンとなる。なお、設定スイッチ６の機能構成は上記実施の形態２の図７と同様となる。
【００７５】
熱線センサ付自動スイッチ２のプレートを外した状態の下面には、図１６に示すように、受信表示ランプ２４及びアドレス設定送受信部２５が備えられる。熱線センサ付自動スイッチ２は、図１７に示すように、ＣＰＵ１０、熱線センサ検出部１１、子器信号送受信部１２、明るさ検出部１３、多重伝送信号送受信部１４、電源部１５、不揮発性メモリ１９、及びアドレス設定信号送受信部２０を備える。すなわち、熱線センサ付自動スイッチ２は操作入力部や液晶表示部を有しない。
【００７６】
図１８（ａ）〜（ｆ）は、設定スイッチ６に備わる液晶表示部６１の表示例を示している。ここで、ＯＮアドレスを「Ｐ５」に設定する手順を説明する。
【００７７】
最初に、図１８（ａ）及び（ｂ）に示すように、値／機能切替（−側）ボタン６５を押してＯＮアドレス設定の項目に切り替え、実行ボタン６２を押して、ＯＮアドレスの設定を開始する。この場合、図１８（ｃ）及び（ｄ）に示すように、値／機能切替（＋側）ボタン６４及び値／機能切替（−側）ボタン６５を用いて個別、パターンＰ、グループＧ、調光などの種別を選択する。次に、図１８（ｅ）に示すように、実行ボタン６２で次の入力項目であるパターンＮｏ．の設定を開始する。この場合、値／機能切替（＋側）ボタン６４を一回押すと数字が大きくなり、値／機能切替（−側）ボタン６５を押すと数字が小さくなる。そして、図１８（ｆ）に示すように、実行ボタン６２を押すと設定項目に切り替えてＯＦＦアドレスを上記のＯＮアドレスと同様に設定する。最後に、実行ボタン６２を押すと項目にカーソルが移動し、他の項目の設定画面に移ることができる。
【００７８】
以上の説明のように、本実施の形態３に係る遠隔監視制御システムでは、分離型の設定スイッチ６から制御信号を出す場合においては、設定スイッチ６の内部で熱線センサ付自動スイッチ２の制御動作の有効／無効の切替をタイマ制御で行う。そして、設定用アドレスのデータとして設定内容が熱線センサ付自動ユニット２に送信される。このため、遠隔監視制御システムに用いるアドレスを使用しない。
【００７９】
従って、従来では熱線センサ付自動スイッチ２の負荷の制御動作を有効／無効用切替アドレスを使用した場合、負荷に対する制御アドレスが減るが、本実施の形態３では、遠隔監視制御システムのアドレスを全て照明負荷に対する制御アドレスとして使用できる。
【００８０】
なお、本発明は、上記各実施の形態の構成に限られず、発明の趣旨を変更しない範囲で種々の変形が可能である。例えば、遠隔監視制御システムの信号線Ｌｓに接続されタイマ制御される装置は熱線センサ付自動スイッチ２に限定されるものではなく、他の外部連動ユニットでもよい。
【符号の説明】
【００８１】
１  伝送ユニット
２  熱線センサ付自動スイッチ
３  センサ入切用スイッチ
４  リレー制御端末器
５  照明器具
６  設定スイッチ
１０  ＣＰＵ（制御部）
１０ａ  時計計測処理部（タイマ部）
１７，３１  操作入力部（入力部）
１８，２１，３２，６１，２ａ  液晶表示部（表示部）
２ｂ〜２ｅ，２１ａ〜２１ｃ，６２〜６５  操作ボタン
Ｌｓ  信号線
【図１】
2012155921.tif 000003
【図２】
2012155921.tif 000004
【図３】
2012155921.tif 000005
【図４】
2012155921.tif 000006
【図５】
2012155921.tif 000007
【図７】
2012155921.tif 000008
【図８】
2012155921.tif 000009
【図９】
2012155921.tif 000010
【図１０】
2012155921.tif 000011
【図１１】
2012155921.tif 000012
【図１２】
2012155921.tif 000013
【図１３】
2012155921.tif 000014
【図１４】
2012155921.tif 000015
【図１６】
2012155921.tif 000016
【図１７】
2012155921.tif 000017
【図１８】
2012155921.tif 000018
【図１９】
2012155921.tif 000019
【図２０】
2012155921.tif 000020
【図６】
2012155921.tif 000021
【図１５】
2012155921.tif 000022